(57)【要約】【課題】複数種類の略矩形状のバッテリの充電を行う。【解決手段】略矩形状の第１のバッテリ１００と第１のバッテリ１００とは長さ、厚さ又は端子接点高さのいずれかが異なる略矩形状の第２のバッテリ１１０とが選択的に装着され、第１及び第２のバッテリ１００，１１０が挿入される側に設けられた端子部１０２，１１２を介して装着された第１及び第２のバッテリ１００，１１０の充電を行う装着部１１が設けられた本体部１０と、相対する面の一方の面が装着部１１に装着された第１のバッテリ１００を支持する第１の支持部３３となっており、他方の面が装着部１１に装着された第２のバッテリ１１０を支持する第２の支持部３４となっており、第１の支持部３３が露出した第１の状態と第２の支持部３４が露出した第２の状態とになるように装着部１１に回動可能に設けられる回動支持部材１２とを備える。【選択図】図４
2011142733.tif 000002
【特許請求の範囲】
【請求項１】
略矩形状の第１のバッテリと該第１のバッテリとは長さ、厚さ又は端子接点高さのいずれかが異なる略矩形状の第２のバッテリとが選択的に装着され、該第１及び第２のバッテリが挿入される側に設けられた端子部材を介して装着された該第１のバッテリ及び該第２のバッテリの充電を行う装着部が設けられた本体部と、
相対する面の一方の面が上記装着部に装着された第１のバッテリを支持する第１の支持部となっており、他方の面が上記装着部に装着された上記第２のバッテリを支持する第２の支持部となっており、該第１の支持部が露出した第１の状態と該第２の支持部が露出した第２の状態とになるように上記装着部に回動可能に設けられる回動支持部材とを備え、
上記装着部には、上記端子部材とは反対側に上記第１のバッテリを支持する第１の受け部が設けられ、上記端子部材側に上記第２のバッテリを支持する第２の受け部が設けられている充電装置。
【請求項２】
上記回動支持部材は、上記第２のバッテリの上記装着部への挿入端とは反対側のコーナ部を支持する支持片を有し、
上記回動支持部材が上記第２の状態にあるとき、上記支持片は、上記端子部材とは反対側に位置して、上記第２の支持部と上記第２の受け部とともに、上記第２のバッテリを支持する請求項１記載の充電装置。
【請求項３】
上記装着部には、上記回動支持部材が上記第１の状態にあるとき、更に、上記第１のバッテリより長さの短い第３のバッテリが装着可能であり、
上記装着部には、上記端子部材とは反対側に、該第３のバッテリを支持する第３の受け部を有している請求項２記載の充電装置。
【請求項４】
上記第１の支持部には、上記第１のバッテリの挿入方向を示す挿入方向表示部が形成されている請求項１記載の充電装置。
【請求項５】
上記装着部には、上記回動支持部材が上記第１の状態にあるとき、上記第１の支持部と隣接する領域に、装着可能なバッテリの種類を示す種類表示部が形成されている請求項１記載の充電装置。
【発明の詳細な説明】
【技術分野】
【０００１】
本発明は、長さ、厚さ又は端子接点高さのいずれかが異なる複数種類の略矩形状のバッテリの充電を行う充電装置に関する。
【背景技術】
【０００２】
ディジタルスチルカメラ、ディジタルビデオカメラ、携帯型情報装置等の各種電子機器には、電源として充電式のバッテリが装着されている。このような各種電子機器に装着されるバッテリは、利用者によって必要に応じて充電装置を用いて充電が行われる。
【０００３】
このような各種電子機器に装着されるバッテリは、各種電子機器ごとにそれぞれ長さ、厚さ又は端子接点高さ等が異なる。このため、各バッテリは、専用の充電器を用いて充電する必要がある。したがって、利用者は、複数の充電器を所有し、バッテリに応じて充電器を使い分ける必要があり、手間がかかる。
【０００４】
そこで、特許文献１の充電装置では、１台で複数種類のバッテリが充電できるようにしている。具体的に、特許文献１の充電装置は、本体部に、第１のバッテリが装着される凹部状の第１の装着部と、第１のバッテリとは幅及び長さがそれぞれ小さい第２のバッテリが装着される凹部状の第２の装着部とが設けられている。そして、第１の装着部には、第１のバッテリの端子部と接触する第１の端子部材が設けられ、第２の装着部には、第２のバッテリの端子部と接触する第２の端子部材が設けられている。すなわち、特許文献１の充電装置は、装着するバッテリごとに凹部状の装着部と端子部材とを設けることで、１台で複数種類のバッテリが充電できるようにしている。
【０００５】
しかしながら、特許文献１の充電装置では、装着するバッテリごとの装着部と端子部材とを設けるためのスペースを確保するために、本体部が大型化してしまう。更に、特許文献１の充電装置では、幅及び長さは略等しいが、端子接点高さが異なるようなバッテリを充電することはできない。
【先行技術文献】
【特許文献】
【０００６】
【特許文献１】特開平１１−２３３１５８号公報
【発明の概要】
【発明が解決しようとする課題】
【０００７】
本発明は、このような従来の事情に鑑みて提案されたものであり、１台で、長さ、厚さ又は端子接点高さのいずれかが異なる複数種類の略矩形状のバッテリの充電を行う充電装置を提供することを目的とする。
【課題を解決するための手段】
【０００８】
本発明に係る充電装置は、略矩形状の第１のバッテリと第１のバッテリとは長さ、厚さ又は端子接点高さのいずれかが異なる略矩形状の第２のバッテリとが選択的に装着され、第１及び第２のバッテリが挿入される側に設けられた端子部材を介して装着された第１及び第２のバッテリの充電を行う装着部が設けられた本体部と、相対する面の一方の面が装着部に装着された第１のバッテリを支持する第１の支持部となっており、他方の面が装着部に装着された第２のバッテリを支持する第２の支持部となっており、第１の支持部が露出した第１の状態と第２の支持部が露出した第２の状態とになるように装着部に回動可能に設けられる回動支持部材とを備える。装着部には、端子部材とは反対側に第１のバッテリを支持する第１の受け部が設けられ、端子部材側に第２のバッテリを支持する第２の受け部が設けられている。第１のバッテリが装着されるとき、回動支持部材は、第１の支持部が露出した第１の状態となっており、第１のバッテリは、第１の支持部と第１の受け部に支持されて装着部に装着される。第２のバッテリが装着されるとき、回動支持部材は、第２の支持部が露出した第２の状態となっており、第２のバッテリは、第２の支持部と第２の受け部に支持されて装着部に装着される。
【発明の効果】
【０００９】
本発明によれば、回動支持部材が、第１の支持部が露出した第１の状態と第２の支持部が露出した第２の状態とになるように装着部に回動可能に設けられているので、第１の状態で、第１のバッテリを、第１の支持部と装着部の第１の受け部とで支持して装着部に装着し、第２の状態で、第２のバッテリを、第２の支持部と装着部の第２の受け部とで支持して装着部に装着することができる。よって、本発明によれば、１台で、長さ、厚さ又は端子接点高さのいずれかが異なる複数種類の略矩形状のバッテリの充電を行うことができる。
【図面の簡単な説明】
【００１０】
【図１】本発明が適用された充電装置が充電を行う各バッテリの斜視図である。
【図２】本発明が適用された充電装置が充電を行う各バッテリの正面図である。
【図３】本発明が適用された充電装置が充電を行う各バッテリの側面図である。
【図４】本発明が適用された充電装置の回動支持部材が第１の状態のときを示す斜視図である。
【図５】本発明が適用された充電装置の回動支持部材が回動中のときの斜視図である。
【図６】本発明が適用された充電装置の回動支持部材が第２の状態のときを示す斜視図である。
【図７】回動支持部材を一方の側から見た斜視図である。
【図８】回動支持部材を他方の側から見た斜視図である。
【図９】本発明が適用された充電装置に第１のバッテリが装着された状態を示す断面図である。
【図１０】本発明が適用された充電装置に第２のバッテリが装着された状態を示す断面図である。
【図１１】本発明が適用された充電装置に第４のバッテリが装着された状態を示す断面図である。
【図１２】本発明が適用された充電装置に第３のバッテリが装着された状態を示す断面図である。
【図１３】本発明が適用された充電装置の変形例を示す断面図である。
【発明を実施するための形態】
【００１１】
以下、本発明が適用された充電装置について、図面を参照しながら詳細に説明する。なお、説明は、以下の順番で行う。
１  バッテリの構成
２  充電装置の構成
３  充電装置の動作
４  充電装置の作用効果
５  充電装置の変形例
【００１２】
＜１  バッテリの構成＞
本発明が適用された充電装置１には、図１乃至図３に示すように、ディジタルスチルカメラ、ディジタルビデオカメラ、携帯型情報装置等の電子機器に対して電力を供給する第１乃至第４のバッテリ１００，１１０，１３０，１２０が装着される。第１乃至第４のバッテリ１００，１１０，１３０，１２０は、例えばリチウムイオンポリマー二次電池等の充電式のバッテリである。
【００１３】
＜第１のバッテリの構成＞
具体的に、第１のバッテリ１００は、内部にリチウムイオンポリマー二次電池のバッテリセルが内蔵されたバッテリ本体１０１を有する。このバッテリ本体１０１は、全体が略矩形で扁平に形成されており、上面１０１ａ、下面１０１ｂ、前面１０１ｃ、背面１０１ｄ、右側面１０１ｅ及び左側面１０１ｆがそれぞれ平坦に形成されている。例えば、このバッテリ本体１０１は、幅Ｗが３５ｍｍ、長さＬ１が４６ｍｍ、厚さＴ１が５．３ｍｍに形成されている。
【００１４】
また、バッテリ本体１０１は、前面１０１ｃが充電装置１への挿入端となっており、この前面１０１ｃに端子部１０２が設けられている。端子部１０２は、プラス端子１０２ａ、マイナス端子１０２ｂ、コントロール端子１０２ｃの合計３端子からなる。これら３端子１０２ａ〜１０２ｃは、それぞれ所定の大きさの略矩形状に設けられ、バッテリ本体１０１に形成された端子開口部１０３を介して外部に臨まされている。また、これら３端子１０２ａ〜１０２ｃは、前面１０１ｃの幅方向の中央部より右側面１０１ｅ側に、幅方向に一列に並んで設けられ、外側から内側に向かって、プラス端子１０２ａ，コントロール端子１０２ｃ，マイナス端子１０２ｂの順に設けられている。更に、これら３端子１０２ａ〜１０２ｃは、下面１０１ｂから各端子１０２ａ〜１０２ｃの中心部までの高さである端子接点高さＨ１が２．７ｍｍとなるように設けられている。
【００１５】
＜第２のバッテリの構成＞
第２のバッテリ１１０は、内部にリチウムイオンポリマー二次電池のバッテリセルが内蔵されたバッテリ本体１１１を有する。このバッテリ本体１１１は、全体が略矩形で扁平に形成されており、上面１１１ａ、下面１１１ｂ、前面１１１ｃ、背面１１１ｄ、右側面１１１ｅ及び左側面１１１ｆがそれぞれ平坦に形成されている。例えば、このバッテリ本体１１１は、幅Ｗが３５ｍｍ、長さＬ４が４１．６ｍｍ、厚さＴ４が８．３ｍｍに形成されている。
【００１６】
また、バッテリ本体１１１は、前面１１１ｃが充電装置１への挿入端となっており、この前面１１１ｃに端子部１１２が設けられている。端子部１１２は、プラス端子１１２ａ、マイナス端子１１２ｂ、コントロール端子１１２ｃの合計３端子からなる。これら３端子１１２ａ〜１１２ｃは、それぞれ所定の大きさの略矩形状に設けられ、バッテリ本体１１１に形成された端子開口部１１３を介して外部に臨まされている。また、これら３端子１１２ａ〜１１２ｃは、前面１１１ｃの幅方向の中央部より右側面１１１ｅ側に、幅方向に一列に並んで設けられ、外側から内側に向かって、プラス端子１１２ａ，コントロール端子１１２ｃ，マイナス端子１１２ｂの順に設けられている。更に、これら３端子１１２ａ〜１１２ｃは、下面１１１ｂから各端子１１２ａ〜１１２ｃの中心部までの高さである端子接点高さＨ４が５．３ｍｍとなるように設けられている。
【００１７】
＜第４のバッテリの構成＞
第４のバッテリ１２０は、内部にリチウムイオンポリマー二次電池のバッテリセルが内蔵されたバッテリ本体１２１を有する。このバッテリ本体１２１は、全体が略矩形で扁平に形成されており、上面１２１ａ、下面１２１ｂ、前面１２１ｃ、背面１２１ｄ、右側面１２１ｅ及び左側面１２１ｆがそれぞれ平坦に形成されている。例えば、このバッテリ本体１２１は、幅Ｗが３５ｍｍ、長さＬ２が４６ｍｍ、厚さＴ２が８．３ｍｍに形成されている。
【００１８】
また、バッテリ本体１２１は、前面１２１ｃが充電装置１への挿入端となっており、この前面１２１ｃに端子部１２２が設けられている。端子部１２２は、プラス端子１２２ａ、マイナス端子１２２ｂ、コントロール端子１２２ｃの合計３端子からなる。これら３端子１２２ａ〜１２２ｃは、それぞれ所定の大きさの略矩形状に設けられ、バッテリ本体１２１に形成された端子開口部１２３を介して外部に臨まされている。また、これら３端子１２２ａ〜１２２ｃは、前面１２１ｃの幅方向の中央部より右側面１２１ｅ側に、幅方向に一列に並んで設けられ、外側から内側に向かって、プラス端子１２２ａ、コントロール端子１２２ｃ、マイナス端子１２２ｂの順に設けられている。更に、これら３端子１２２ａ〜１２２ｃは、下面１２１ｂから各端子１２２ａ〜１２２ｃの中心部までの高さである端子接点高さＨ２が２．７ｍｍとなるように設けられている。
【００１９】
＜第３のバッテリの構成＞
第３のバッテリ１３０は、内部にリチウムイオンポリマー二次電池のバッテリセルが内蔵されたバッテリ本体１３１を有する。このバッテリ本体１３１は、全体が略矩形で扁平に形成されており、上面１３１ａ、下面１３１ｂ、前面１３１ｃ、背面１３１ｄがそれぞれ平坦に形成され、右側面１３１ｅ及び左側面１３１ｆがそれぞれ外側に膨出する円弧面で形成されている。例えば、このバッテリ本体１３１は、幅Ｗが３５ｍｍ、長さＬ３が４０．３ｍｍ、厚さＴ３が４．９ｍｍに形成されている。
【００２０】
また、バッテリ本体１３１は、前面１３１ｃが充電装置１への挿入端となっており、この前面１３１ｃに端子部１３２が設けられている。端子部１３２は、プラス端子１３２ａ、マイナス端子１３２ｂ、コントロール端子１３２ｃの合計３端子からなる。これら３端子１３２ａ〜１３２ｃは、それぞれ所定の大きさの略矩形状に設けられ、バッテリ本体１３１に形成された端子開口部１３３を介して外部に臨まされている。また、これら３端子１３２ａ〜１３２ｃは、前面１３１ｃの幅方向の中央部より右側面１３１ｅ側に、幅方向に一列に並んで設けられ、外側から内側に向かって、プラス端子１３２ａ、コントロール端子１３２ｃ、マイナス端子１３２ｂの順に設けられている。更に、これら３端子１３２ａ〜１３２ｃは、下面１３１ｂから各端子１３２ａ〜１３２ｃの中心部までの高さである端子接点高さＨ３が２．５ｍｍとなるように設けられている。
【００２１】
すなわち、これら第１〜第４のバッテリ１００〜１３０は、下記表１に示すように、長さ、厚さ又は端子接点高さのいずれかが異なる。そして、これら長さ、厚さ又は端子接点高さのいずれかが異なる第１〜第４のバッテリ１００〜１３０は、必要に応じて利用者によって本発明が適用された充電装置１を用いて充電が行われる。
【００２２】
なお、第１〜第４のバッテリ１００〜１３０は、外側から内側に向かって、プラス端子、コントロール端子、マイナス端子の順に設けられることに限定されるものではなく、充電装置１と対応付けされていれば、順序が異なるようなものでもよい。また、第１〜第４のバッテリ１００〜１３０は、前面の幅方向の中央部より右側面側に、幅方向に一列に並んで設けられることに限定されるものではなく、充電装置１と対応付けされていれば、幅方向の中央部や左側面側に設けるようにしてもよい。更に、第１〜第４のバッテリ１００〜１３０は、プラス端子、コントロール端子、マイナス端子の３端子からなることに限定されるものではなく、充電装置１と対応付けされていれば、例えば、温度検出端子等のその他の端子を１個又は複数個設けるようにしてもよい。
【００２３】
【表１】
2011142733.tif 000003
【００２４】
＜２  充電装置＞
本発明が適用された充電装置１は、図４乃至図６に示すように、選択的に装着された第１〜第４のバッテリ１００〜１３０の充電を行うバッテリ装着部１１が設けられた装置本体１０と、バッテリ装着部１１に回動可能に支持された回動支持部材１２とを備える。
【００２５】
装置本体１０は、上ケース１３及び下ケース１４からなり、これら上ケース１３及び下ケース１４とで略直方体状に形成され、上ケース１３の上面１３ａに、第１〜第４のバッテリ１００〜１３０が選択的に装着されるバッテリ装着部１１が設けられている。このバッテリ装着部１１は、例えば第１及び第４のバッテリ１００，１２０の上面１０１ａ，１２１ａや下面１０１ｂ，１２１ｂと略同じ開口面積を有する凹状に設けられている。
【００２６】
このような凹状に設けられたバッテリ装着部１１には、装着される第１〜第４のバッテリ１００〜１３０の前面１０１ｃ，１１１ｃ，１３１ｃ，１２１ｃに設けられた端子部１０２，１１２，１３２，１２２と対向する前面１１ｃに、端子部材１５が設けられている。端子部材１５は、プラス接点端子１５ａ，マイナス接点端子１５ｂ，コントロール接点端子１５ｃ、バッテリ検出接点１５ｄの合計４接点からなり、例えば導電性の板ばねを略く字状に折り曲げて形成されている。これら４端子１５ａ〜１５ｄは、装着される第１〜第４のバッテリ１００〜１３０の前面１０１ｃ，１１１ｃ，１３１ｃ，１２１ｃに設けられた端子部１０２，１１２，１３２，１２２と対向するように、前面１１ｃの幅方向の中央部より左側面１１ｆ側に、幅方向に一列に並んで設けられている。更に、これら４端子１５ａ〜１５ｄは、外側から内側に向かって、プラス接点端子１５ａ，コントロール接点端子１５ｃ、バッテリ検出接点１５ｄ、マイナス接点端子１５ｂの順に設けられている。
【００２７】
プラス接点端子１５ａは、第１〜第４のバッテリ１００〜１３０のプラス端子１０２ａ，１１２ａ，１３２ａ，１２２ａに共通に対応する位置に設けられ、第１〜第４のバッテリ１００〜１３０のプラス端子１０２ａ，１１２ａ，１３２ａ，１２２ａが圧接される。コントロール接点端子１５ｃは、第１〜第４のバッテリ１００〜１３０のコントロール端子１０２ｃ，１１２ｃ，１３２ｃ，１２２ｃに共通に対応する位置に設けられ、第１〜第４のバッテリのコントロール端子１０２ｃ，１１２ｃ，１３２ｃ，１２２ｃが圧接される。バッテリ検出接点１５ｄとマイナス接点端子１５ｂは、プラス接点端子１５ａとコントロール接点端子１５ｃとの間、コントロール接点端子１５ｃとバッテリ検出接点１５ｄとの間より、近接して設けられている。このようなバッテリ検出接点１５ｄ及びマイナス接点端子１５ｂは、第１〜第４のバッテリ１００〜１３０のマイナス端子１０２ｂ，１１２ｂ，１３２ｂ，１２２ｂに共通に対応する位置に設けられ、第１〜第４のバッテリのマイナス端子１０２ｂ，１１２ｂ，１３２ｂ，１２２ｂが圧接される。
【００２８】
また、バッテリ装着部１１には、端子部材１５が設けられた前面１１ｃとは反対側の背面１１ｄに、このバッテリ装着部１１に第１〜第４のバッテリ１００〜１３０を装着し易くするため、又は取り外し易くするために、切欠部１６が形成されている。
【００２９】
更に、バッテリ装着部１１の背面１１ｄには、切欠部１６の両端に、第１及び第４のバッテリ１００，１２０の下面１０１ｂ，１２１ｂを支持する第１の受け部１７ａと、第２のバッテリ１１０の背面１１ｄを支持する第４の受け部１７ｂとが階段状に形成されている。そして、第１の受け部１７ａを構成するバッテリの第１の受け面は、第１及び第４のバッテリ１００，１２０の端子部１０２，１２２を端子部材１５に圧接する際の基準面となる。
【００３０】
更に、バッテリ装着部１１の背面１１ｄには、上段の第１の受け部１７ａに支持される第１及び第４のバッテリ１００，１２０の背面１０１ｄ，１２１ｄを支持する第１の当接部１７ｃが形成されている。第１の当接部１７ｃは、所定の幅を有して、上ケース１３の上面１３ａから上段の第１の受け部１７ａに亘ってバッテリ装着部１１の内側に突出した凸状に形成されている。すなわち、第１の当接部１７ｃは、第１及び第４のバッテリ１００，１２０の背面１０１ｄ，１２１ｄとの装着するとき又は取り外すときの摩擦を低減させ、このバッテリ装着部１１にバッテリを装着し易くするとともに取り外し易くする。
【００３１】
更に、下段の第４の受け部１７ｂの壁面には、第３のバッテリ１３０の背面１３１ｄを支持する第２の当接部１７ｄが形成されている。第２の当接部１７ｄは、所定の幅を有して、下段の第４の受け部１７ｂからバッテリ装着部１１の底面１１ｂに亘ってバッテリ装着部１１の内側に突出した凸状に形成されている。すなわち、第２の当接部１７ｄは、第３のバッテリ１３０の背面１３１ｄとの装着するとき又は取り外すときの摩擦を低減させ、このバッテリ装着部１１に第３のバッテリ１３０を装着し易くするとともに取り外し易くする。
【００３２】
更に、バッテリ装着部１１の底面１１ｂには、回動支持部材１２が設けられている。具体的に、回動支持部材１２は、端子部材１５が設けられた前面１１ｃ側に回動する第１の状態と端子部材１５が設けられた前面１１ｃ側とは反対側の背面１１ｄ側に回動する第２の状態とになるように、バッテリ装着部１１の底面１１ｂに設けられている。回動支持部材１２は、図７及び図８に示すように、第１〜第４のバッテリ１００〜１３０の下面１０１ｂ，１１２ｂ，１３１ｂ，１２１ｂを支持する本体部３０と、この本体部３０に一体に設けられ、第２のバッテリ１１０の背面１１１ｄを支持する支持片３１とを有する。
【００３３】
本体部３０は、略矩形薄板状に形成され、右側面３０ｅ及び左側面３０ｆの先端側に回動軸３２が設けられている。この回動軸３２は、バッテリ装着部１１の底面１１ｂに形成された後述する回動孔３２ａに挿入されている。すなわち、回動軸３２は、回動支持部材１２を、バッテリ装着部１１に対してこの回動軸３２を中心に、第１の状態と第２の状態となるように回動させるようにしている。また、本体部３０は、相対する一方の主面が第１，第４及び第３のバッテリ１００，１２０，１３０の下面１０１ｂ，１２１ｂ，１３１ｂを支持する第１の支持部３３となっており、他方の主面が第２のバッテリ１１０の下面１１１ｂを支持する第２の支持部３４となっている。
【００３４】
第１の支持部３３は、図７に示すように、回動支持部材１２がバッテリ装着部１１の前面１１ｃ側に回動した第１の状態のときに露出する面である。このような第１の支持部３３は、第１及び第４のバッテリ１００，１２０の下面１０１ｂ，１２１ｂを支持する平面支持部３３ａと、第３のバッテリ１３０の下面１３１ｂを支持する傾斜支持部３３ｂとを有する。平面支持部３３ａは、回動支持部材１２が第１の状態にあるとき、第１の受け部１７ａと略平行となるように設けられる。そして、平面支持部３３ａを構成する平面支持面は、第１及び第４のバッテリ１００，１２０の端子部１０２，１２２を端子部材１５に圧接する際の基準面となる。傾斜支持部３３ｂは、平面支持部３３ａと連続して設けられ、先端側に向かって次第に肉薄となるような傾斜を有するように設けられている。そして、傾斜支持部３３ｂを構成する傾斜支持面は、第３のバッテリ１３０の端子部１３２を端子部材１５に圧接する際の基準面となる。更に、傾斜支持部３３ｂには、第１、第４及び第３のバッテリ１００，１２０，１３０をバッテリ装着部１１に挿入する際の挿入方向を示す挿入方向表示部３５が形成されている。挿入方向表示部３５は、例えば、矢印等である。すなわち、挿入方向表示部３５は、第１、第４及び第３のバッテリ１００，１２０，１３０の挿入端となる前面１１ｃがどちらか目視によって確認することができるようにしている。挿入方向表示部３５は、射出成型時に刻設しても良いし、シールを貼り付けて形成しても良い。
【００３５】
第２の支持部３４は、図８に示すように、回動支持部材１２がバッテリ装着部１１の背面１１ｄ側に回動した第２の状態のときに露出する面である。このような第２の支持部３４は、第１の支持部３３の平面支持部３３ａと略平行に設けられている。そして、第２の支持部３４を構成する第２の支持面は、第２のバッテリ１１０の端子部１１２を端子部材１５に圧接する際の基準面となる。また、第２の支持部３４には、回動支持部材１２が第２の状態のときに装着可能なバッテリの種類を示す第２の種類表示部３６が形成されている。すなわち、第２の種類表示部３６は、第２の状態で装着可能なバッテリの種類を目視によって確認することができるようにしている。第２の種類表示部３６も、射出成型時に刻設しても良いし、シールを貼り付けて形成しても良い。
【００３６】
支持片３１は、本体部３０の左側面３０ｆに一体に設けられている。支持片３１は、第１の支持部３３側に突出され第１の支持片３７と、第２の支持部３４側に突出され第２の支持片３８と、第１の支持片３７及び第２の支持片３８と本体部３０の左側面３０ｆとを連結させる連結部３９とを有する。
【００３７】
第１の支持片３７は、図７に示すように、回動支持部材１２が第１の状態のときに第１の支持部３３とともに露出する支持片であり、断面略Ｌ字状に形成されている。第１の支持片３７は、回動支持部材１２が第１の状態のときにバッテリ装着部１１に装着された第１、第４及び第３のバッテリ１００，１２０，１３０の前面と右側面からなるコーナ部を支持する。すなわち、第１の支持片３７は、第１、第４及び第３のバッテリ１００，１２０，１３０がバッテリ装着部１１の中に入り過ぎて端子部材１５が損傷してしまうことを防止する。
【００３８】
また、第１の支持片３７の先端部には、利用者が摘み、回動支持部材１２を第１の状態から第２の状態に操作する操作片４０が設けられている。操作片４０は、例えば第１の支持部３３の平面支持部３３ａと略平行となるように設けられ、複数個の溝が加工される等の滑り止め処理が施されている。
【００３９】
第２の支持片３８は、図８に示すように、回動支持部材１２が第２の状態のときに第２の支持部３３とともに露出する支持片であり、断面略Ｌ字状に形成されている。第２の支持片３８は、回動支持部材１２が第２の状態のときにバッテリ装着部１１に装着された第２のバッテリ１１０の前面１１１ｃと右側面１１１ｅからなるコーナ部を支持する。
【００４０】
更に、支持片３１には、図７及び図８に示すように、連結部３９から先端側に突出された第３の支持片４５が設けられている。第３の支持片４５は、回動支持部材１２が回動軸３２を中心に第１の状態又は第２の状態に回動するときに、後述するガイド部２３に摺動されてガイドされる。
【００４１】
更に、バッテリ装着部１１の底面１１ｂには、回動支持部材１２が第１の支持部３３が露出した第１の状態のときに、回動支持部材１２の一部を収納する第１の収納部１８が形成されている。また、バッテリ装着部１１の底面１１ｂには、回動支持部材１２が第２の支持部３４が露出した第２の状態のときに、回動支持部材１２の一部を収納する第２の収納部１９が形成されている。そして、第１の収納部１８及び第２の収納部１９は、連続して設けられており、それぞれ回動支持部材１２の本体部３０と略同じ開口面積を有する凹状に設けられている。また、凹状に設けられた第１の収納部１８と第２の収納部１９との境界上の側面には、回動孔３２ａが形成され、この回動孔３２ａに、回動支持部材１２の回動軸３２が挿入されている。また、第２の収納部１９は、第１の収納部１８に対して傾斜するように形成されている。具体的に、第２の収納部１９は、第１の支持部３３の傾斜支持部３３ｂと略同じ傾斜を有し、前面１１ｃ側から背面１１ｄ側に向けて次第にバッテリ装着部１１の深さが深くなるような傾斜を有する。また、第２の収納部１９は、回動支持部材１２が第２の状態のとき、第２の支持部３４と後述する第２の受け部２１とが面一となるような深さを有する。更に、第２の収納部１９には、回動支持部材１２が第１の状態のときに装着可能な第１、第３及び第４のバッテリの種類を示す第１の種類表示部２０が形成されている。すなわち、第２の種類表示部２０は、第１の状態で装着可能なバッテリの種類を目視によって確認することができるようにしている。第１の種類表示部２０も、射出成型時に刻設しても良いし、シールを貼り付けて形成しても良い。
【００４２】
また、バッテリ装着部１１の底面１１ｂには、図６に示すように、回動支持部材１２が第２の状態のときに、第１の収納部１８の前面１１ｃ側及び幅方向の両側面１１ｅ，１１ｆに第２のバッテリ１１０を支持する第２の受け部２１が設けられている。この第２の受け部２１は、第１の収納部１８と略平行に設けられ、第１の状態の回動支持部材１２の第１の支持部３３の平面支持部３３ａより低く、第２の状態の回動支持部材１２の第２の支持部３４と面一となるように設けられている。そして、第２の受け部２１を構成する第２の受け面は、第２のバッテリ１１０の端子部１１２を端子部材１５に圧接する際の基準面となる。更に、バッテリ装着部１１の底面１１ｂには、回動支持部材１２が第１の状態のときに、第２の収納部１９の幅方向の両側面１１ｅ，１１ｆに第３のバッテリ１３０を支持する第３の受け部２２が設けられている。この第３の受け部２２は、第２の収納部１９と略平行な傾斜を有するように設けられている。そして、第３の受け部２２を構成する第３の受け面は、第３のバッテリ１３０の端子部１３２を端子部材１５に圧接する際の基準面となる。
【００４３】
また、バッテリ装着部１１の右側面１１ｅには、回動支持部材１２が第１の状態又は第２の状態に回動するときのガイドとなるガイド部２３が設けられている。このガイド部２３は、バッテリ装着部１１の内側に向けて突出した凸部であり、略半円形状に設けられている。このようなガイド部２３は、回動支持部材１２が第１の状態又は第２の状態に回動するときに、回動支持部材１２の第３の支持片４５が摺動され、回動支持部材１２が回動する際のガイドとなる。
【００４４】
また、バッテリ装着部１１の背面１１ｄ及び右側面１１ｅからなるコーナ部には、回動支持部材１２が第２の状態のときに、回動支持部材１２の第１の支持片３７を収納する第３の収納部２４が形成されている。第３の収納部２４は、回動支持部材１２の第１の支持片３７の断面より大きな開口面積で回動支持部材１２の第１の支持片３７の突出量よりも深さが深い凹部である。更に、バッテリ装着部１１の背面１１ｄ及び右側面１１ｅとからなるコーナ部には、第２の収納部１９と第３の収納部２４とを挿通させる第１の挿通部２５が形成されている。第１の挿通部２５は、回動支持部材１２の連結部３９よりも大きな開口面積を有する凹部である。すなわち、回動支持部材１２が第２の状態のときに、第３の収納部１８は、回動支持部材１２の第１の支持片３７を内部に収納し、第１の挿通部２５は、回動支持部材１２の連結部３９を収納する。
【００４５】
また、バッテリ装着部１１の前面１１ｃ及び右側面１１ｅからなるコーナ部には、回動支持部材１２が第１の状態のときに、回動支持部材１２の第２の支持片３８を収納する第４の収納部２６が形成されている。第４の収納部２６は、回動支持部材１２の第２の支持片３８の断面より大きな開口面積で回動支持部材１２の第２の支持片３８の突出量よりも深さが深い凹部である。更に、バッテリ装着部１１の前面１１ｃ及び右側面１１ｅとからなるコーナ部には、第１の収納部１８と第４の収納部２６とを挿通させる第２の挿通部２７が形成されている。第２の挿通部２７は、回動支持部材１２の連結部３９よりも大きな開口面積を有する凹部である。すなわち、回動支持部材１２が第１の状態となっているときに、第４の収納部２６は、回動支持部材１２の第２の支持片３８を内部に収納し、第２の挿通部２７は、回動支持部材１２の連結部３９を収納する。
【００４６】
また、バッテリ装着部１１の前面１１ｃには、端子部材１５を覆うようにカバー部１３ｂが設けられている。このカバー部１３ｂには、回動支持部材１２が第１の状態のときに露出する第１の支持片３７の先端部に設けられた操作片４０を外部に突出させる突出孔４６が形成されている。突出孔４６は、例えばバッテリ装着部１１の右側面１１ｅ側の操作片４０に対応する位置に設けられている。
【００４７】
＜３  充電装置の動作＞
次に、充電装置１を用いて、第１〜第４のバッテリ１００〜１３０を装着し、充電を行う動作について説明する。
【００４８】
（３−１  第１のバッテリの装着）
先ず、充電装置１は、図９に示すように、第１のバッテリ１００が装着されるとき、回動支持部材１２を、第１の支持部３３が露出された第１の状態にされる。そして、充電装置１は、第１のバッテリ１００の前面１０１ｃを挿入端として、第１のバッテリ１００がバッテリ装着部１１に挿入されて第２の支持片３８に突き当たるまで挿入される。そして、第１のバッテリ１００は、下面１０１ｂの前面１０１ｃ側が回動支持部材１２の第１の支持部３３の平面支持部３３ａに支持され、下面１０１ｂの背面１０１ｄ側がバッテリ装着部１１の第１の受け部１７ａに支持される。更に、第１のバッテリ１００は、背面１０１ｄがバッテリ装着部１１の背面１１ｄに設けた第１の当接部１７ｃに支持される。よって、第１のバッテリ１００は、バッテリ装着部１１に装着される。すなわち、第１のバッテリ１００は、第２のバッテリ１１０より端子接点高さが低い。そこで、第１のバッテリ１００をバッテリ装着部１１に装着するにあたっては、回動支持部材１２の第１の支持部３３の平面支持部３３ａでバッテリ装着部１１の底面から底上げして、端子部１０２と端子部材１５とが電気的な接続ができるようにしている。
【００４９】
更に、第１のバッテリ１００がバッテリ装着部１１に装着されると、プラス接点端子１５ａは、プラス端子１０２ａに圧接され、コントロール接点端子１５ｃは、コントロール端子１０２ｃに圧接され、バッテリ検出接点１５ｄ及びマイナス接点端子１５ｂは、マイナス端子１０２ｂに圧接される。これにより、充電装置１は、充電電圧を第１のバッテリ１００に印加することによって、充電を行うことができる。
【００５０】
（３−２  第２のバッテリの装着）
次に、充電装置１は、図１０に示すように、第２のバッテリ１１０を装着するとき、回動支持部材１２を、第２の支持部３４が露出された第２の状態にされる。具体的に、充電装置１は、操作片４０が利用者により操作されて、第１の支持部３３が露出された第１の状態から第２の支持部３４が露出された第２の状態となるように、回動軸３２を中心に回動支持部材１２が回動される。そして、充電装置１は、回動支持部材１２が第２の状態となっているとき、第２のバッテリ１１０の前面１１１ｃを挿入端として、第２のバッテリ１１０がバッテリ装着部１１に挿入される。そして、第２のバッテリ１１０は、下面１１１ｂの前面１１１ｃ側がバッテリ装着部１１の第２の受け部２１に支持され、下面１０１ｂの背面１０１ｄ側が回動支持部材１２の第２の支持部３４に支持される。また、第２のバッテリ１１０は、第２のバッテリ１１０の挿入端側の前面１１ｃと右側面１１ｅからなるコーナ部が第２の支持片３８に支持される。更に、第２のバッテリ１１０は、背面１１１ｄがバッテリ装着部１１の背面１１ｄに設けられ第４の受け部１７ｂに支持される。よって、第２のバッテリ１１０は、バッテリ装着部１１に装着される。
【００５１】
更に、第２のバッテリ１１０がバッテリ装着部１１に装着されると、プラス接点端子１５ａは、プラス端子１１２ａに圧接され、コントロール接点端子１５ｃは、コントロール端子１１２ｃに圧接され、バッテリ検出接点１５ｄ及びマイナス接点端子１５ｂは、マイナス端子１１２ｂに圧接される。これにより、充電装置１は、充電電圧を第２のバッテリ１１０に印加することによって、第２のバッテリ１１０の充電を行うことができる。
【００５２】
（３−３  第４のバッテリの装着）
次に、充電装置１は、図１１に示すように、第４のバッテリ１２０を装着するとき、回動支持部材１２を、第１の支持部３３が露出された第１の状態にされる。具体的に、充電装置１は、第２の支持片３８が利用者により操作されて、第２の支持部３４が露出された第２の状態から第１の支持部３３が露出された第１の状態となるように、回動軸３２を中心に回動支持部材１２が回動される。そして、充電装置１は、第４のバッテリ１２０の前面１２１ｃを挿入端として、第４のバッテリ１２０がバッテリ装着部１１に挿入されて第２の支持片３８に突き当たるまで挿入される。そして、第４のバッテリ１２０は、下面１２１ｂの前面１２１ｃ側が回動支持部材１２の第１の支持部３３の平面支持部３３ａに支持され、下面１０１ｂの背面１０１ｄ側がバッテリ装着部１１の第１の受け部１７ａに支持される。更に、第４のバッテリ１２０は、背面１２１ｄがバッテリ装着部１１の背面１１ｄに設けた第１の当接部１７ｃに支持される。よって、第４のバッテリ１２０は、バッテリ装着部１１に装着される。すなわち、第４のバッテリ１２０は、第１のバッテリ１００と同等の端子接点高さを有するので、第１のバッテリ１００と同等に、第２のバッテリ１１０より端子接点高さが低い。そこで、第４のバッテリ１２０をバッテリ装着部１１に装着するにあたっては、第１のバッテリ１００と同等に、回動支持部材１２の第１の支持部３３の平面支持部３３ａでバッテリ装着部１１の底面から底上げして、端子部１０２と端子部材１５とが電気的な接続ができるようにしている。
【００５３】
更に、第４のバッテリ１２０がバッテリ装着部１１に装着されると、プラス接点端子１５ａは、プラス端子１２２ａに圧接され、コントロール接点端子１５ｃは、コントロール端子１２２ｃに圧接され、バッテリ検出接点１５ｄ及びマイナス接点端子１５ｂは、マイナス端子１２２ｂに圧接される。これにより、充電装置１は、充電電圧を第４のバッテリ１２０に印加することによって、充電を行うことができる。
【００５４】
（３−４  第３のバッテリの装着）
次に、充電装置１は、図１２に示すように、第３のバッテリ１３０を装着されるとき、回動支持部材１２を、第１の支持部３３が露出された第１の状態にされる。そして、充電装置１は、第３のバッテリ１３０の前面１３１ｃを挿入端として、第３のバッテリ１３０がバッテリ装着部１１に挿入されて第２の支持片３８に突き当たるまで挿入される。そして、第３のバッテリ１３０は、下面１３１ｂの前面１３１ｃ側が回動支持部材１２の第１の支持部３３の傾斜支持部３３ｂに支持され、下面１３１ｂの背面１３１ｄ側がバッテリ装着部１１の第３の受け部２２に支持される。更に、第３のバッテリ１３０は、背面１３１ｄがバッテリ装着部１１の背面１１ｄに設けた第２の当接部１７ｄに支持される。よって、第３のバッテリ１３０は、バッテリ装着部１１に装着される。すなわち、第３のバッテリ１３０は、第１、第２及び第４のバッテリ１００，１１０，１２０より端子接点高さが低い。そこで、第１のバッテリ１００をバッテリ装着部１１に装着するにあたって、回動支持部材１２の第１の支持部３３の斜面支持部３３ｂで、バッテリ装着部１１の底面から底上げして、端子部１０２と端子部材１５とが電気的な接続ができるようにしている。
【００５５】
更に、第３のバッテリ１３０がバッテリ装着部１１に装着されると、プラス接点端子１５ａは、プラス端子１３２ａに圧接され、コントロール接点端子１５ｃは、コントロール端子１３２ｃに圧接され、バッテリ検出接点１５ｄ及びマイナス接点端子１５ｂは、マイナス端子１３２ｂに圧接される。これにより、充電装置１は、充電電圧を第３のバッテリ１３０に印加することによって、第３のバッテリ１３０の充電を行うことができる。
【００５６】
＜４  充電装置の作用効果＞
本発明が適用された充電装置１は、回動支持部材１２を第１の支持部３３が露出された第１の状態にし、第１のバッテリ１００の下面１０１ｂの前面１０１ｃ側を回動支持部材１２の第１の支持部３３の平面支持部３３ａに支持し、下面１０１ｂの背面１０１ｄ側がバッテリ装着部１１の第１の受け部１７ａに支持して、第１のバッテリ１００をバッテリ装着部１１に装着させることができる。
【００５７】
更に、本発明が適用された充電装置１は、第１のバッテリ１００の背面１０１ｄをバッテリ装着部１１の背面１１ｄに設けた第１の当接部１７ｃで支持することで、確実に、第１のバッテリ１００をバッテリ装着部１１に装着させることができる。
【００５８】
また、本発明が適用された充電装置１は、回動支持部材１２を第２の支持部３４が露出された第２の状態にし、第２のバッテリ１１０の下面１１１ｂの前面１１１ｃ側をバッテリ装着部１１の第２の受け部２１に支持し、下面１０１ｂの背面１０１ｄ側が回動支持部材１２の第２の支持部３４に支持することで、第２のバッテリ１１０をバッテリ装着部１１に装着させることができる。
【００５９】
更に、本発明が適用された充電装置１は、第２のバッテリ１１０の第２のバッテリ１１０の挿入端側の前面１１ｃと右側面１１ｅからなるコーナ部を第２の支持片３８で支持することで、確実に、第１のバッテリ１００をバッテリ装着部１１に装着させることができる。
【００６０】
更に、本発明が適用された充電装置１は、第２のバッテリ１１０の背面１１１ｄをバッテリ装着部１１の背面１１ｄに設けられ第４の受け部１７ｂで支持することで、確実に、第１のバッテリ１００をバッテリ装着部１１に装着させることができる。
【００６１】
また、本発明が適用された充電装置１は、回動支持部材１２を第１の支持部３３が露出された第１の状態にし、第４のバッテリ１２０の下面１２１ｂの前面１２１ｃ側を回動支持部材１２の第１の支持部３３の平面支持部３３ａに支持し、下面１２１ｂの背面１２１ｄ側がバッテリ装着部１１の第１の受け部１７ａに支持することで、第４のバッテリ１２０をバッテリ装着部１１に装着させることができる。
【００６２】
更に、本発明が適用された充電装置１は、第４のバッテリ１２０の背面１２１ｄをバッテリ装着部１１の背面１１ｄに設けた第１の当接部１７ｃで支持することで、確実に、第１のバッテリ１００をバッテリ装着部１１に装着させることができる。
【００６３】
また、本発明が適用された充電装置１は、回動支持部材１２を第１の支持部３３が露出された第１の状態にし、第３のバッテリ１３０の下面１３１ｂの前面１３１ｃ側を回動支持部材１２の第１の支持部３３の傾斜支持部３３ｂに支持し、下面１３１ｂの背面１３１ｂ側をバッテリ装着部１１の第３の受け部２２に支持することで、第３のバッテリ１３０をバッテリ装着部１１に装着させることができる。
【００６４】
更に、本発明が適用された充電装置１は、第３のバッテリ１３０の背面１３１ｄをバッテリ装着部１１の背面１１ｄに設けた第２の当接部１７ｄで支持することで、確実に、第３のバッテリ１３０をバッテリ装着部１１に装着させることができる。
【００６５】
＜５  充電装置の変形例＞
なお、本発明に係る充電装置１は、回動支持部材１２の支持片３１の第１の支持片３７を断面略Ｌ字状に形成することに限定されるものではなく、先端部に操作片を有する矩形薄板状に設けてもよい。
【００６６】
また、本発明に係る充電装置１は、図１３に示すように、回動支持部材１２の支持片３１を別部材としてもよい。例えば、本発明に係る充電装置１は、回動支持部材１２は本体部３０のみの構成とし、支持片３１の代わりに、バッテリ装着部１１の右側面１１ｅに回動可能に設けられた第３の支持片４７を設けるようにしてもよい。そして、第３の支持片４７は、回動支持部材１２が第１の状態のときバッテリ装着部１１の右側面１１ｅに形成された切欠部に収納され、第２の状態のとき、バッテリ装着部１１内に回動され、第２のバッテリ１１０の背面１１１ｄを支持する。
【００６７】
更に、本発明に係る充電装置１は、リチウムイオンポリマー二次電池が内蔵されたバッテリについて説明したが、これに限定するものではない。本発明に係る充電装置１は、個体電解質二次電池や他の非水電解質二次電池であってもよい。
【００６８】
更にまた、本発明に係る充電装置１は、第１〜第４のバッテリ１００〜１３０の４種類のバッテリの充電を行うことに限定されるものではなく、少なくとも第１及び第２のバッテリ１００，１１０の充電を行うことができるようなものであればよい。
【符号の説明】
【００６９】
１  充電装置、１０  装置本体、１１  バッテリ装着部、１２  回動支持部材、１５  端子部材、１７ａ  第１の受け部、１７ｂ  第４の受け部、１７ｃ  第１の当接部、１７ｄ  第２の当接部、１８  第１の収納部、１９  第２の収納部、２０  第１の種類表示部、２１  第２の受け部、２２  第３の受け部、２３  ガイド部、２４  第３の収納部、２５  第１の挿通部、２６  第４の収納部、２７  第２の挿通部、３０  本体部、３１  支持片、３２  回動軸、３３  第１の支持部、３３ａ  平面支持部、３３ｂ  傾斜支持部、３４  第２の支持部、３５  挿入方向表示部、３６  第２の種類表示部、３７  第１の支持片、３８  第２の支持片、３９  連結部、４０  操作片、４５  第３の支持片、４６  突出孔、４７  第３の支持片、１００  第１のバッテリ、１０１  バッテリ本体、１０２  端子部、１１０  第２のバッテリ、１１１  バッテリ本体、１１２  端子部、１２０  第４のバッテリ、１２１  バッテリ本体、１２２  端子部、１３０  第３のバッテリ、１３１  バッテリ本体、１３２  端子部
【図１】
2011142733.tif 000004
【図２】
2011142733.tif 000005
【図３】
2011142733.tif 000006
【図４】
2011142733.tif 000007
【図５】
2011142733.tif 000008
【図６】
2011142733.tif 000009
【図７】
2011142733.tif 000010
【図８】
2011142733.tif 000011
【図９】
2011142733.tif 000012
【図１０】
2011142733.tif 000013
【図１１】
2011142733.tif 000014
【図１２】
2011142733.tif 000015
【図１３】
2011142733.tif 000016